(57)【要約】【課題】棚部材と断熱箱体の後壁面との間に、空気の循環する流通路を確保する。【解決手段】棚部材５０は、貯蔵庫における断熱箱体の内部に画成された収納室２０に設置され、物品を上下または左右の関係で所要間隔離間するよう配置し、該収納室２０内のスペースの有効利用を図るものである。棚部材５０は、矩形状に形成した枠体５２ａおよびこの枠体５２ａの内部に配設した複数の線材５２ｂからなる網状の載置面５２と、この載置面５２の後端部近傍における幅方向の全長に亘って、該枠体５２ａより上方に延在するストッパ５４とを備えている。そして、載置面５２の後端部における枠体５２ａを一部切り欠いて空間５６を形成し、前記ストッパ５４と断熱箱体の後壁面との間に、収納室２０内の空気が循環し得る流通路を設けている。【選択図】図１
2005055039.tif 000002
【特許請求の範囲】
【請求項１】
略矩形状の枠体(52a)と、この枠体(52a)に張設した複数の線材(52b)とからなり、貯蔵庫(10)の収納室(20)へ設置した際に、該収納室(20)の内壁面(12b)に近接するストッパ(54)を前記枠体(52a)に立設して、該ストッパ(54)により物品の位置規制を行なうようにした棚部材において、
前記ストッパ(54)の配設側で前記内壁面(12b)に当接する前記枠体(52a)の一部を切り欠いて、該ストッパ(54)で位置規制された物品(M)と前記内壁面(12b)との間の空気流路に連通する空間(56)を設けた
ことを特徴とする貯蔵庫の棚部材。
【請求項２】
前記ストッパ(54)の配設位置より内方に臨む枠体(52a,52a)間に、該ストッパ(54)と略平行な補強部材(52c)を配設した請求項１記載の貯蔵庫の棚部材。
【発明の詳細な説明】
【技術分野】
【０００１】
この発明は、冷蔵ショーケースや冷蔵庫等の貯蔵庫における収納室に設置して物品を載置することで、該収納室のスペースの有効利用を図る貯蔵庫の棚部材に関するものである。
【背景技術】
【０００２】
図３または図４に示すように、食品や飲料品等の物品Ｍを冷蔵や冷凍等して保存する貯蔵庫１０は、内箱１４と外箱１６とで画成される空間部分に断熱材１８を充填した断熱箱体１２を本体とし、この断熱箱体１２の内部には、物品Ｍを収納するための収納室２０が画成される。この収納室２０には、前方に開放する矩形状の開口部１２ａが開設され、該開口部１２ａは縦方向に延在する支柱２１により左右に区分されると共に、幅方向に延在する仕切板２２により上下に区分されている。そして、前記開口部１２ａは、図示しないヒンジで回動自在に支持された扉２４により開閉可能に夫々閉成される。
【０００３】
前記断熱箱体１２の外部上方には、機械室２６が画成され、この機械室２６に圧縮機、凝縮器および凝縮器用ファン等からなる冷却装置２８が配設されている。また、前記断熱箱体１２の内部には、前記収納室２０の上部に配設されたダクト３０により上下に仕切られて冷却室３２が画成され、該冷却室３２には冷却器３４および送風ファン３６が収納配置されている。前記冷却装置２８と冷却器３４との間は、図示しない冷媒配管で接続され、該冷却装置２８を運転することで、冷媒が循環供給されて冷却器３４を冷却するよう構成される。そして、前記送風ファン３６を回転することにより、前記ダクト３０の前側に開設された吸込口３８から冷却室３２に吸込んだ収納室２０内の空気を、前記冷却器３４に接触させて冷気とした後、該ダクト３０の後側に設けた吹出口４０を介して収納室２０内に吹出すようになっている。前記吹出口４０から吹出された冷気は、断熱箱体１２の後壁面１２ｂ(収納室２０における奥側の壁面)に沿って下降し、前記収納室２０内を循環して物品Ｍを冷却するようになっている。
【０００４】
前記収納室２０内には、室内スペースを有効に利用するため、物品Ｍを載置する棚部材４２が必要に応じて設置される。この棚部材４２は、棚柱４４に取付けた棚受金４６および支持梁４８で所要位置に保持されている。前記棚柱４４は、前記断熱箱体１２の開口部１２ａに近接した収納室２０の側壁面、後壁面および支柱２１の内壁面の夫々に縦方向に延在するよう配設され、上下方向に複数の係止孔４４ａが開設されている。すなわち、前記棚受金４６の係止爪を前記係止孔４４ａに係合して位置決めした該棚受金４６の上面に、棚部材４２が載置されている。また、前記支持梁４８は、両端を棚受金４６,４６で支持され、支持間隔が広くなる前記棚部材４２の前面側を保持している。そして、前記棚受金４６の上下の配設数および設置位置を調整することで、前記棚部材４２の設置高さおよび上下の間隔や設置数の増減が適宜調整される。
【０００５】
図５に示すように、前記棚部材４２は、例えば矩形状に形成した枠材４２ａの内部に格子状に線材４２ｂを組合わせて網状の載置面を形成している。また、前記棚部材４２を収納室２０に設置した際に、載置面の奥側に位置する後端部には、上方に立ち上がるストッパ４２ｃが形成されている。すなわち、このストッパ４２ｃは、物品Ｍを前記棚部材４２の載置面に載置した際に、前記断熱箱体１２の後壁面１２ｂに物品Ｍが密着して冷気の流通路を遮断することを防ぎ、該ストッパ４２ｃと断熱箱体１２の後壁面１２ｂとの間に冷気が循環し得る流通路を確保することを目的としている(例えば、特許文献１参照)。
【特許文献１】特許第３３６４８７４号公報「００１２」段落
【発明の開示】
【発明が解決しようとする課題】
【０００６】
ところで、前記棚部材４２の後端部は、前記断熱箱体１２の後壁面１２ｂに当接した状態で棚受金４６に支持されている。また、前記ストッパ４２ｃの配設位置は、物品Ｍの載置面をなるべく広く確保するため、該棚部材４２の後端部の近傍に設けられるから、断熱箱体１２の後壁面１２ｂに近接した状態となる。従って、図６に示すように、物品Ｍを棚部材４２のストッパ４２ｃに当接させた状態で載置した際、前記枠材４２ａの後端部が、上下方向の冷気の流通路を塞いでしまう問題が指摘される。このように、冷気が循環する流通路を遮断してしまうと、収納室内に均等に冷気が行き渡らず、温度分布にむらが生じてしまい、冷却効率を低下させてしまう。
【０００７】
すなわちこの発明は、従来の技術に係る貯蔵庫の棚部材に内在する前記問題に鑑み、これらを好適に解決するべく提案されたものであって、収納室の内壁面とストッパとの間に、冷気または暖気の循環する空気通路を確保し得る貯蔵庫の棚部材を提供することを目的とする。
【課題を解決するための手段】
【０００８】
前記課題を克服し、所期の目的を達成するため、本発明に係る貯蔵庫の棚部材は、
略矩形状の枠体と、この枠体に張設した複数の線材とからなり、貯蔵庫の収納室へ設置した際に、該収納室の内壁面に近接するストッパを前記枠体に立設して、該ストッパにより物品の位置規制を行なうようにした棚部材において、
前記ストッパの配設側で前記内壁面に当接する前記枠体の一部を切り欠いて、該ストッパで位置規制された物品と前記内壁面との間の空気流路に連通する空間を設けたことを特徴とする。
【発明の効果】
【０００９】
本発明に係る貯蔵庫の棚部材によれば、ストッパの配設側で収納室の内壁面に当接する枠体の一部を切り欠いて、該ストッパで位置規制された物品と前記内壁面との間の空気流路に連通する空間を設けることで、収納室内の空気が循環し得る空気通路を確保できる。従って、好適に収納室内の空気が流動するので、収納室内の温度分布を均等にすることができ、効率よく収納した物品を冷却または保温することができる。また、ストッパの配設位置より内方に臨む枠体間に、該ストッパと略平行な補強部材を配設することで、載置面の一部を切り欠いても強度が低下するのを防ぐことができる。
【発明を実施するための最良の形態】
【００１０】
本発明に係る貯蔵庫の棚部材は、貯蔵庫における断熱箱体の内部に画成された収納室に設置され、物品を上下または左右の関係で所要間隔離間するよう配置し、該収納室内の室内スペースに有効利用を図るものである。前記棚部材は、矩形状に形成した枠体およびこの枠体の内部に配設した複数の線材からなる網状の載置面と、この載置面における断熱箱体の内壁面近傍に、その内壁面に沿う全長に亘って、該載置面より上方を延在するストッパとを備えている。そして、前記ストッパと断熱箱体の内壁面との間に臨む載置面の一部を切り欠いて、収納室内の空気が循環し得る空間を設けてある。
【実施例】
【００１１】
次に、本発明に係る貯蔵庫の棚部材につき、好適な実施例を挙げて、添付図面を参照して以下に説明する。ここで実施例の貯蔵庫は、図３または図４に示した貯蔵庫と同一のものを採用するので、説明の便宜上、この貯蔵庫の構成要素と同一の要素については、同一の符号を使用して詳細な説明は省略する。 
【００１２】
貯蔵庫１０は、内箱１４と外箱１６の間に断熱材１８を充填してなる本体としての断熱箱体１２の内部に、食品や飲料品等の物品Ｍを収納する収納室２０が画成されている。また、前記収納室２０の上部には、冷却器３４および送風ファン３６を備えた冷却室３２が画成され、該冷却器３４には断熱箱体１２の外部上方に設けられた機械室２６に格納された冷却装置２８から冷媒が供給されるよう構成されている。そして、前記送風ファン３６を回転することにより、前記ダクト３０の前側に開設された吸込口３８から冷却室３２に吸込んだ収納室２０内の空気を、前記冷却器３４に接触させて冷気とした後、該ダクト３０の後側に設けた吹出口４０を介して収納室２０内に吹出すようになっている。前記吹出口４０から吹出された冷気は、断熱箱体１２の後壁面１２ｂ(収納室２０における奥側の内壁面)に沿って下降し、前記収納室２０内を循環して物品Ｍを冷却するようになっている。
【００１３】
前記収納室２０内には物品Ｍを載置するため、幅方向に複数の棚部材５０が設置されると共に、上下方向にも複数の棚部材５０が棚受構造を介して設置されている。前記棚部材５０を収納室２０の所要位置に保持する棚受構造は、前記断熱箱体１２の内壁面１２ｂに配設された棚柱４４と、該棚柱４４に係合して棚部材５０を保持する棚受金４６と、支持間隔が広くなる棚部材５０の前面側を保持する支持梁４８から構成されている(図１または図２参照)。前記棚柱４４は、前記断熱箱体１２の開口部１２ａに近接した収納室２０の側壁面、後壁面および支柱２１の内壁面の夫々に縦方向に延在するよう配設され、上下方向に複数の係止孔４４ａが開設されている。前記棚受金４６の係止爪を前記係止孔４４ａに係合して位置決めした該棚受金４６の上面に、棚部材４２の後端が載置されると共に、両端を棚受金４６,４６で支持されて開口部１２ａの幅方向に延在する支持梁４８で、該棚部材４２の前面側を保持するよう構成されている。
【００１４】
図１に示すように、前記棚部材５０は、略矩形状に形成した枠体５２ａと、該枠体５２ａの内部に前後方向に延在するよう張設された複数の線材５２ｂと、該線材５２ｂの後端部を支持する補強部材５２ｃとから物品Ｍを保持する面となる網状の載置面５２が構成されている。前記枠体５２ａは、前記載置面５２の後端部(棚部材５０を設置した際の断熱箱体１２の後壁面１２ｂ(内壁面)側)における枠体５２ａの一部が切り欠かれ、後述するストッパ５４の後方に空間５６を形成するようになっている。すなわち、前記枠体５２ａは、コの字状に折曲形成した棒状部材の両先端部を、前記棚受金４６で支持し得る寸法だけ内方に夫々折曲加工して開放端を有する略矩形状に形成されている。また、前記載置面５２の後端部に近接する部位には、前記枠体５２ａから上方に突出して幅方向(後壁面１２ｂに沿う方向)の全長に亘って延在するストッパ５４が配設されている。このストッパ５４は、線材をコの字状に折曲加工することで形成され、幅方向に対向する枠体５２ａ,５２ａ間を跨ぎ、前記載置面５２と平行に上辺が延在するよう形成されている。そして、前記ストッパ５４は、前記載置面５２に載置された物品Ｍの後方への移動を規制して、物品Ｍと断熱箱体１２の後壁面１２ｂとの間に冷気の流通路を確保するべく機能する。
【００１５】
また、前記補強部材５２ｃは、幅方向に対向する前記枠体５２ａ,５２ａ間に架設され、前記ストッパ５４の延在位置より前側(内方)であって、かつ該ストッパ５４に近接する位置に略平行に配設されている。そして、前記線材５２ｂは、その前端部を前記枠体５２ａにおける前端側に配設すると共に、その後端部は前記補強部材５２ｃに配設することで、前後方向に延在して載置面５２を形成している。
【００１６】
次に、実施例に係る貯蔵庫の棚部材の作用について説明する。図２に示すように、前記棚部材５０は、その後端部側の枠体５２ａを後壁面１２ｂに当接するように棚受金４６上に配置され、前記ストッパ５４は後壁面１２ｂに近接している。そして、物品Ｍを前記棚部材５０に載置した際、前記載置面５２より上方に立ち上がったストッパ５４に物品Ｍが突き当たり、後方への移動が規制される。すなわち、前記断熱箱体１２の後壁面１２ｂに物品Ｍが密着して冷気の流通路を遮断することを防ぎ、該物品Ｍの後端と断熱箱体１２の後壁面１２ｂとの間に冷気が循環し得る流通路を確保することができる。従って、収納室２０内を冷気が好適に循環し得るので、冷却効率が低下することがなくなる。
【００１７】
また、前記枠体５２ａにおける載置面５２の後端部における枠体５２ａを一部切り欠くことで、前記棚部材５０を収納室２０に設置した際に、該ストッパ５４で位置規制された物品Ｍと後壁面１２ｂとの間の空気流路に連通して、ストッパ５４と断熱箱体１２の後壁面１２ｂとの間に空間５６が生じ、収納室２０内の空気が上下方向に循環する流通路を確保できる。従って、前記冷却室３２からの冷気の吹出しに伴い、好適に収納室２０内の空気が循環するので、収納室２０内の温度分布を均等にすることができ、収納した物品Ｍを効率よく冷却することができる。そして、前記ストッパ５４を断熱箱体１２の後壁面１２ｂに近接するよう棚部材５０における載置面５２に配設しても、前記空間５６により冷気の流通路を確保することができるから、載置面５２の利用領域を広く設定することができ、より収納室２０の室内スペースの有効利用を図り得る。
【００１８】
更に、物品Ｍの載置面５２を構成する線材５２ｂの後端部を支持する補強部材５２ｃを、ストッパ５４の延在位置より前面側に配設することで、該物品Ｍの荷重を補強部材５２ｃが直接支持することになるので、前述したように枠材５２ａの一部を切り欠いても前記棚部材５０の強度が低下することがない。
【００１９】
なお、実施例においては、収納した物品Ｍを冷却する貯蔵庫として冷蔵庫を挙げて説明したが、収納した物品を冷凍する冷凍庫や、収納した物品を保温する温蔵庫等であって、棚部材と収納室の内壁面との間に室内空気の流通路を要する構成であれば、本発明に係る棚部材を好適に採用し得る。また、載置面が切り欠かれる部位は、後端部に限定されるものではなく、例えば収納室の内部側面側に冷気や暖気の流通路が形成される場合は、該流通路に応じた断熱箱体の内壁面に対向する端部を切り欠けばよく、その端部より内方にストッパが配設されるようになる。
【図面の簡単な説明】
【００２０】
【図１】本発明の好適な実施例に係る貯蔵庫の棚部材を示す概略斜視図である。
【図２】実施例の棚部材を配設した貯蔵庫を示す横断面図である。
【図３】従来の棚部材を配設した貯蔵庫を示す縦断面図である。
【図４】従来の棚部材を配設した貯蔵庫を示す横断面図である。
【図５】従来の棚部材を示す概略斜視図である。
【図６】図４におけるＸ部の拡大図である。
【符号の説明】
【００２１】
１０ 貯蔵庫，１２ｂ 後壁面(内壁面)，２０ 収納室，５２ａ 枠体，５２ｂ 線材
５２ｃ 補強部材，５４ ストッパ，５６ 空間，Ｍ 物品
【図１】
2005055039.tif 000003
【図２】
2005055039.tif 000004
【図３】
2005055039.tif 000005
【図４】
2005055039.tif 000006
【図５】
2005055039.tif 000007
【図６】
2005055039.tif 000008